(57)【要約】      （修正有）【課題】極小で、かつ磁気の作用を受けない鉄以外の素材のネジや釘等の固定部材の打ち込み時に、指先の危険を回避し、安全にネジや釘を保持、又は操作出来る治具を提供する。【解決手段】全体が平板形状で、固定部材の軸径より大きくかつ固定部材の頭部の径より小さい内径の円形の開口部２Ａと、開口部から端部まで固定部材の軸径より広い幅の溝２Ｂを有した固定部材保持部２と、固定部材保持部に接続された持ち手部３から構成する。柔軟性を有した材質から構成する。【選択図】図３
0003190101.tif 000002
【実用新案登録請求の範囲】
【請求項１】
軸と軸に接する頭部からなる固定部材の打ち込みに使用するものであって、全体が平板形状で、固定部材の軸径より大きくかつ固定部材の頭部の径より小さい内径の円形の開口部と、開口部から端部まで固定部材の軸径より広い幅の溝を有した固定部材保持部と、固定部材保持部に接続された持ち手部から構成されることを特徴とする、固定部材の打ち込み治具。
【請求項２】
柔軟性を有した材質からなることを特徴とする、請求項１に記載の固定部材の打ち込み治具。
【考案の詳細な説明】
【技術分野】
【０００１】
本考案は極小のネジや釘等の固定部材を打ち込む際、指先の危険を回避するためのネジ固定部材の打ち込み治具に関する。
【背景技術】
【０００２】
一般的に用いられる極小でかつ磁気作用の及ばないネジや釘等を打ち込む際、素手では保持しづらく、その上、危険を伴い作業の能率を低下させる。
【０００３】
昨今では鉄製のネジや釘等のために、ドライバー等の先端作用部には磁気を帯びた道具が開発され、極小のネジ等でも手放しで容易に目的箇所に設置し打ち込む事が出来る様になっているが、ステンレス等磁気の作用の及ばない物は指先又はピンセットの様な道具で作業を行う。その際は危険を伴い、作業能率も低下する。
これらの課題を解決するものとして、ネジの支持部とスクリュードライバの把持体支持部からなる落下防止具がある（特許文献１参照）。
【先行技術文献】
【特許文献】
【０００４】
【特許文献１】特開２０１１−２３６９７９号公報
【考案の概要】
【考案が解決しようとする課題】
【０００５】
前述した様に専門技術者であれ一般の人でもネジや釘等を打ち込む作業は日常茶飯事多くの場面で見受けられるが、近年は磁気を利用した工具が開発され鉄等のネジや釘等の様に磁気に反応するものは、極小であってもドライバー等の先端に予めセットし打ち込む位置に保持する事が出来る。
しかし細く短いネジや釘等で打ち込みの作業をする場合、磁気の作用を受けずかつ指先等で保持しづらいので、直接指先で摘み目的の位置に保持するには、ある程度の技術が必要で、その作業に不慣れな人や能力の衰えた人にとってはかなり難しい作業で、ややもすれば指先を負傷する恐れも有る危険な作業である。
【課題を解決するための手段】
【０００６】
前述の課題を解決するために、本考案に係る固定部材の打ち込み治具は以下の手段を有する。
第１の手段として、軸と軸に接する頭部からなる固定部材の打ち込みに使用するものであって、全体が平板形状で、固定部材の軸径より大きくかつ固定部材の頭部の径より小さい内径の円形の開口部と、開口部から端部まで固定部材の軸径より広い幅の溝を有した固定部材保持部と、固定部材保持部に接続された持ち手部から構成されることを特徴とする。
第２の手段として、柔軟性を有した材質からなることを特徴とする。
【考案の効果】
【０００７】
本考案の固定部材の打ち込み治具によると、該治具の作業部、すなわちネジや釘等を保持する部位である固定部材保持部でネジや釘等の打ち込みたい固定部材を保持し、作業者は持ち手である持ち手部を片手で握り、保持されたネジや釘の先端を目標箇所に安定させて保持し、打ち込み用の工具である固定部材締結具、例えばドライバーで打ち込む作業を行う。その際作業者はネジや釘の保持を直接指等で行わず該治具本体で行うため、固定部材締結具の先端より離れた位置でネジや釘等の接触位置の移動や傾き等を遠隔的に操作でき、作業の安全性が担保される。
【０００８】
加えて、打ち込もうとするネジや釘等を該治具で保持しうる程度まで螺着しネジや釘等が自立する段階に達すると、固定部材保持部が有した溝、例えばスリットにより容易にネジ釘等から該治具を取り外す事が出来る。その後は自立したネジや釘等は確実に固定部材締結具にて打ち込む事が出来る。
【図面の簡単な説明】
【０００９】
【図１】本考案に係る固定部材の打ち込み治具の斜視図である。
【図２】本考案に係る固定部材の打ち込み治具の右方向からみた断面図である。
【図３】本考案に係る固定部材の打ち込み治具の平面図である。
【図４】本考案に係る固定部材の打ち込み治具の正面図である。
【図５】本考案に係る固定部材の打ち込み治具の使用方法を説明する斜視図である(固定部材を保持した状態)。
【図６】本考案に係る固定部材の打ち込み治具の使用方法を説明する右方向からみた断面図である(固定部材を保持した状態)。
【図７】本考案に係る固定部材の打ち込み治具の使用方法を説明する別の図である（固定部材を保持した状態）。
【図８】本考案に係る固定部材の打ち込み治具の使用方法を説明する別の図である（固定部材の打ち込み治具を取り外し中の状態）。
【図９】本考案に係る固定部材の打ち込み治具の流通過程における応用方法の例を説明する図である
【考案を実施するための形態】
【００１０】
以下本考案の固定部材の打ち込み治具について、実施するための形態を図面により詳細に説明する。
なお、実用新案登録請求の範囲は以下の説明に限定されるものではない。
最初に該治具の構成を説明する。
図１は該治具の斜視図である。図１に示すように該治具１は固定部材保持部２及び持ち手部３から構成される。
【００１１】
固定部材保持部２及び持ち手部３の構成を、該治具１を右方向からみた断面図である図２、該治具１の平面図である図３及び該治具１の正面図である図４により説明する。
ネジや釘等を保持する固定部材保持部２と持ち手部３とに区分して説明する。固定部材保持部２の動きは持ち手部３により操作できる。固定部材保持部２と持ち手部３は一体であり平たい平板形状であり、固定部材保持部２にネジや釘等の軸より大きくかつネジや釘等の頭部の径より小さい内径の円形の開口部２Ａを設けている。よって、ネジや釘等の頭部は開口部２Ａを通り抜けて抜ける事は無い。
固定部材保持部２には溝２Ｂを設ける。溝２Ｂは開口部２Ａから端部までネジや釘等の軸径より広い幅を有する。
よって、溝２Ｂにより、ネジや釘等をある程度打ち込み、ネジや釘等が自立した段階でネジや釘等から該治具１を取り外す事が可能となる。
図３及び図４は溝２Ｂの例として、スリットを用いた場合を示している。
なお、該治具１は柔軟性を有する材質から構成することがある。この場合の詳細は後述する。
【００１２】
次に該治具の使用方法を説明する。
図５は該治具１がネジや釘等を保持した状態を説明する斜視図である。図５に示すようにネジや釘等の固定部材１１が固定部材保持部２により保持されている。開口部２Ａの内径は前述のように、固定部材１１の軸である固定部材軸１１Ａの径よりも大きく固定部材１１の頭部の径よりも小さい。
よって、図５に示すように固定部材１１が保持される。
保持された固定部材１１は固定部材締結具１２、例えばドライバー等で打ち込む。
【００１３】
図６は該治具１がネジや釘等を保持した状態を説明する右方向からみた断面図である。固定部材１１の保持及び固定部材締結具１２による固定部材１１の打ち込みの説明は図５と同じである。
【００１４】
図７は該治具１がネジや釘等を保持した状態を説明する斜視図である。図７に示すようにネジや釘等の固定部材１１が固定部材保持部２により保持されている。開口部２Ａの内径は前述のように、固定部材１１の軸である固定部材軸１１Ａの径よりも大きく固定部材１１の頭部の径よりも小さい。
よって、図７に示すように固定部材１１が保持される。
保持された固定部材１１は固定部材締結具１２、例えばドライバー等で打ち込む。
【００１５】
図８は該治具１を取り外し中の状態を説明する図面である。
図８に示すように固定部材１１を打ち込んだ状態から、溝２Ｂを介して該治具１を固定部材１１から取り外す。
溝２Ｂは前述のように、開口部２Ａから固定部材保持部２の端部まで、固定部材１１の軸径より広い幅を有している。
よって、図８に示すように該治具１を固定部材１１から取り外すことができる。
前述のように固定部材保持部２の動きは持ち手部３により操作できる。
図８に示すように、該治具１は柔軟性を有することにより、固定部材保持部２の細かい操作が可能になる。細かい操作としては、例えば該治具１を固定部材１１から取り外す際の固定部材保持部２を引き上げる角度の切り替え、固定部材保持部２の捻り、回転等があげられる。
手首や腕を動かす量を多くせずにこれらの細かい操作が可能になるため、固定部材１１が非常に小さい、すなわち固定部材軸１１Ａの径及び長さが短い場合でも、該治具１を容易に固定部材１１から取り外すことが可能になる。
固定部材保持部２を柔軟性を有する材質から構成することがある。
これにより溝２Ｂに於いて幅の広がり等の変形が可能となるため、溝２Ｂの幅と固定部材軸１１Ａの径とがほぼ同じ場合や、固定部材保持部２の引き上げ、捻り及び回転により溝２Ｂと固定部材軸１１Ａとの隙間が狭くなった場合でも、該治具１を容易に固定部材１１から取り外すことが可能になる。
柔軟性を有する材質としては、例えばナイロンや紙またはポリプロピレン等がある。
【００１６】
図９は応用使用の例を説明するための図である。
該治具は単独でも流通できるが、一般的に極小の固定部材１１はパッケージ１３に詰められ販売されている。（ａ）はパッケージ１３としてナイロン等の袋を、（ｂ）はパッケージ１３としてプラスチック等の箱状容器の場合を示している。
その際パッケージ１３の一端を該治具１の形状に加工し、予め切り取り易く切り取り線（ミシン目）１４を施す。使用者または消費者は予め施された切り取り線（ミシン目）１４により容易にパッケージ１３から取り外し使用することが出来る。
【符号の説明】
【００１７】
１      固定部材の打ち込み治具
２      固定部材保持部
２Ａ    開口部
２Ｂ    溝
３      持ち手部
１１    固定部材
１１Ａ  固定部材軸
１２    固定部材締結具
１３    パッケージ
１３Ａ  切り取り線（ミシン目）
【図１】
0003190101.tif 000003
【図２】
0003190101.tif 000004
【図３】
0003190101.tif 000005
【図４】
0003190101.tif 000006
【図５】
0003190101.tif 000007
【図６】
0003190101.tif 000008
【図７】
0003190101.tif 000009
【図８】
0003190101.tif 000010
【図９】
0003190101.tif 000011